Podtech/llm-jp-corpus-v4-ja_patent huggingface dataset:
(57)【要約】      （修正有）【課題】高度医療が可能な病院を早期に増やし、受けられる医療レベルの不公平をなくす方法を提供する。【解決手段】高度な医療が受けられる事が条件で会員を募集して、これに賛同した人達が会員として申込み、その会費の資金で高度医療の設備が備わった病院を増やすことで、高度医療の必要な人達がより早く受診できる体制をとる。【選択図】図１
2008276722.tif 000002
【特許請求の範囲】
【請求項１】
（会員になれば高度の医療設備が備わった病院で、高度な治療が受けられます）との内容で呼びかけて会員を募ること
この場合の、高度な医療設備とは日々進化する医療用の機械で最も優れていると思われる機械設備のある病院で、より優れた新薬を駆使して、高度な技術で治療を行うこと。
【発明の詳細な説明】
【技術分野】
【０００１】本発明は、高度な医療が多くの人々に受けられる目的で発明されたものである。
【背景技術】
【０００２】従来、テレビ、雑誌などでより高度な治療方法がある事を知りながら、高度医療体制の広まりが遅く、高度医療が可能な施設に予約が殺到し、予約待ちの人達の病気の進行は待ってくれない為、高度な医療を断念せざるをえない事態になる事が多々ある。このような人の命にかかわる事への不公平の回避の方法がなかった。
【発明の開示】
【発明が解決しようとする課題】
【０００３】高度医療が受けたくても、高度医療が行える病院が少なく、限られた人達が、高度医療の恩恵を受けているのが現状で、不公平を解消する為のものである
【課題を解決するための手段】
【０００４】高度医療が受けられる事を条件で、会員を募集して、その会費の資金で（高度医療の設備が備わった病院）を増やすことで、高度医療の必要な人達がより早く受けられるようにした
【発明の効果】
【０００５】この医療組織の会員になった事で、高度な治療が必要な病気になった場合、高度な医療設備のもとで、すぐれた治療が確実に受けられるようになった
【発明を実施するための最良の形態】
【０００６】高度な医療が行える病院の数を増やす為に、その資金を提供してくれる会員を募集する事で、高度医療の可能な病院が、早く増やすことが出来て、会員にとって、高度な最先端医療が手の届くところに存在することとなる。
高度医療は助からない命が守られたり、苦しい治療が少しでも楽な治療になるので、高度な医療が受けられるという確約は大きい【０００７】発明を実施する事で会員の提供した財産が守られる。
【実施例】
【０００８】（会員になれば高度な医療が受けられる）を商品として会員募集をする【０００９】高度医療が可能な病院が早く、多く、出来る事で最短の予約で高度治療が受けられるようになり、待ってくれない病気の進行に向かい合える事が出来るようになった。またより優れた医療の提供が可能となった。【００１０】高度医療の一部が国民健康保険の適用をされていないこと、高度医療が可能な病院が少なく患者が集中するため、特定の人達、高額所得者などに患者の対象が少しかたよって不公平が生じた感があったが、多くの人々が受けられるようになり、解消された。【００１１】日々進化する最新治療機械の新たな導入、医師の治療技術のレベルアップ、など、次々に資金が必要となり、病院の高度医療レベルを維持するために会員制の導入は不可欠である【００１２】（このシステムの導入で）新しい機械が入った病院に患者が集中し、更に別の病院に、もっと新しい機械が入った為、患者が集中、このような最新治療を追い求めることがある程度、解消される【００１３】特許が認められた場合（高度医療が受けられる）との条件で加入した会員の財産が守られる
【産業上の利用可能性】
【００１４】  病気の早期発見には最新の治療設備（検査機械）が必要。早期発見、早期治療が治療期間の短縮＋治療費の軽減につながります【００１５】多くの人々がより優れた治療の情報を捜し求めています。【００１６】（もし高度な治療が必要な病気にかかった時）検査＋治療が、より早くなる【００１７】高度医療を望む、望まない、を誰もが選択できる【００１８】最近の医療器械の進歩、新薬の出現などから、高度医療に大きい期待が伺える
【図面の簡単な説明】
【００１９】
【図１】高度医療が受けられるシステムのフローチャート  会員募集の呼びかけ→高度医療の仕組み→会員が高度治療を受けられる過程
【図１】
2008276722.tif 000003
(57)【要約】      （修正有）【課題】効率化・迅速化された高齢者支援システムを提供する。【解決手段】意思表示用選択ボタンを有する高齢者端末ＰＣより発信される信号を蓄積し、かつ、モニターに一覧表示させるコールセンターＰＣを利用して迅速かつ効率的な、高齢者支援を行う。被支援者は、朝起きて体調が良く、生活上の心配事も無いときには「今日も元気です」というボタンを押す。泊りがけで外出する場合には、「お出かけします」のボタンを押し、帰宅予定日を選択する。被支援者より送られた信号は、支援者側のＰＣに届き、一覧表示される。支援者は、ボタンが押されていない人だけを、安否確認の要有り、または、生活上の支援の要有りと判断してホローすれば良い。【選択図】なし【特許請求の範囲】
【請求項１】
高齢者用端末ＰＣに設けられた意思表示選択ボタンによって、支援の必要性を判断するための情報を提供させ、迅速かつ、効率的な支援を実施可能にするシステムである。
【発明の詳細な説明】
【技術分野】
【０００１】本発明は、高齢者支援方法、ならびに高齢者支援システムに係るものであり、殊に、高齢者の安否確認、非常時対応、生活支援、健康管理、各種情報提供サービスに適用して有効性を発揮する技術に属する。
【背景技術】
【０００２】高齢者支援は、その時々の被支援者の状況や希望を勘案して行われる。被支援者の状況や希望を把握する方法としては、電話やインターネットなどの通信網を利用する場合がほとんどであるが、具体的には、支援を行う側からの問い合わせと、それに対する被支援者の応答という形で実施されている。この仕法は福祉分野における重要な技術である。
【発明が解決しようとする課題】
【０００３】福祉に係わる支援作業の中で、被支援者の現状把握のために費やされる労力は極めて大きい。支援を行う側から問い合わせるという従来の仕法では、対象者全員への連絡が不可欠であり、手間と時間を要する作業となる。また、被支援者が常に端末機の傍に待機しているという前提がなければ、有効性そのものにも問題が生じてしまう。被支援者が端末機からはなれた場所にいたり、泊りがけで外出している場合などは、連絡そのものが不能となってしまうからである。更に、対象者全員への連絡を終了しなければ、支援を必要とする人達全員を把握できず、迅速な対応が出来ない恐れも生じる。また、高齢者支援は、安否確認・遠隔健康管理・緊急通報・生活支援など多伎に渡るものであるが、従来の仕法では、一つひとつの作業に手間がかかるため、それら全ての支援を一元化して行う事が難しかった。
【課題を解決するための手段】
【０００４】そこで、本発明は、支援者側の問いかけに被支援者が応答するという前記従来仕法を改め、支援者側の問いかけを待たずに、被支援者が自らの意思を表示するという、全く新しい仕法を開発した。被支援者の意思表示は、ＰＣ端末に設けられたボタンを押す事で行われる。この仕法によれば、如何に多くの対象者が存在しようとも、支援を必要とする人を同時に捕捉出来、迅速な支援が可能となるばかりか、全対象者に問いかけるという作業も不要となり、福祉そのものの効率化・迅速化を図る事が出来るのである。具体的にいうなら、被支援者は、朝起きて体調が良く、生活上の心配事も無いときには「今日も元気です」というボタンを押す。泊りがけで外出する場合には、「お出かけします」のボタンを押し、帰宅予定日を選択する。被支援者より送られた信号は、支援者側のＰＣに届き、一覧表示される。支援者は、ボタンが押されていない人だけを、安否確認の要有り、または、生活上の支援の要有りと判断してホローすれば良い。「お出かけします」のボタンを押している人も除外する。この仕法によれば、対象者の人数に係わり無く、支援を必要とする人たち全てを同時に捕捉できる為、迅速な支援が可能となる。しかも、１００人の対象者のうち、「今日も元気です」ボタンを押さなかった人が２０人居るとして、その中で「お出かけします」の意思表示が５人であるとするなら、支援者側が連絡を取る必要がある人の数は１５人という事になり、従来の仕法と比較して６倍の効率化を達成できる事となる。もちろん、被支援者が行う意思表示は、家族へもメールで届けられる。また、安否確認・非常通報・遠隔健康管理・生活支援要請など多くの支援項目を、ボタンを増やすのみで、同時に受付対応できる事から、従来の仕法では困難であった一元化された総合支援が本発明によって実現される。将来の高齢者支援市場の規模は１８兆円ともいわれ、民間事業者の参入が待たれる状況となっている。しかし、現実的需要が高まりつつあるにも拘らず、採算の取れない福祉事業に興味を示す事業者は少ない。福祉の効率化・低コスト化は、単に高齢者を守るためだけで無く、福祉事業への民間事業者の参入を促し、産業を活性化させるための差し迫った課題という事ができるだろう。その課題は、上述のごとく新たな福祉仕法の構築によって解決されるものである。もし、産業に寄与し、経済を活発化させる度合いを進歩性と呼ぶのであれば、本発明の進歩性は、充分に証明できるといえるだろう。尚、本発明は、介護保険で実施されている予防介護においても、業務の効率化を促進し、その経営を助けるものである事を付記しておく。
本発明の目的は、福祉の効率化と迅速化を図る事で高齢者に安心できる生活環境を与えると同時に、高齢化時代における経済の活性化を促進する事にある。
(57)【要約】 【課題】 インターネット株価ボードから、簡単に指定された他のサイトの画面にリンクできる機能をもった、広告枠付インターネット株価ボードを提供する。【解決手段】インターネット株価ボードに、他のサイトの画面へ直接リンクできる広告枠を設けた。【選択図】図１
2008276589.tif 000002
【特許請求の範囲】
【請求項１】
他のサイトの画面にリンクすることができる広告枠を設けた、広告枠付インターネット株価ボード。
【請求項２】
インターネット株価ボードを起動している状態から、必要な項目ごとに直接他のサイトの画面にリンクができることを特徴とする請求項１記載の広告枠付インターネット株価ボード。
【発明の詳細な説明】
【技術分野】
【０００１】
本発明はインターネット株価ボードに関するものである。          
【背景技術】
【０００２】
インターネット株価ボードを開いているときに、他のサイトを開きたいときは、直接リンクすることが出来ず、時間的ロスがあった。
【発明の開示】
【発明が解決しようとする課題】
【０００３】
時間的ロスを限りなく無くしたい利用者にとって直接リンクできないことは効率が悪いという問題点があった。
【課題を解決するための手段】
【０００４】
インターネット株価ボードに、必要な項目ごとの広告枠を設けて、利用者が直接他のサイトの画面にリンクできる機能を設けることにより、この問題を解決しようとするものである。
【発明の効果】
【０００５】
本発明によれば、インターネット株価ボードから、利用者が必要な項目の広告枠をクリックすることにより、直接他のサイトの画面にリンクすることができ、時間的ロスを無くし、さらに利便性が高くなる。
【実施例】
【０００６】
本発明の広告枠付インターネット株価ボードは、図１に示されるように、インターネット株価ボードに広告枠を設け、リンクしたい必要な項目を選択できるようにしている。
【０００７】
本発明の広告枠付インターネット株価ボードにおいて、注文を入れたときは、その広告枠は注文後に必要な内容に変わることができる。
【０００８】
本発明の広告枠付インターネット株価ボードの表示内容を審査して違法性の疑いのあるものを表示しないフィルターを設けることができる。
【産業上の利用可能性】
【０００９】
上述の発明は、リンク機能を設けた、インターネット株価ボードとして利用可能である。
【図面の簡単な説明】
【００１０】
【図１】広告枠付インターネット株価ボードの構成を示す図である。
【符号の説明】
【００１１】
１・・・インターネット株価ボード
２・・・広告枠  
【図１】
2008276589.tif 000003
(57)【要約】      （修正有）【課題】環境にやさしい水田用有機殺虫殺菌剤を提供する。【解決手段】夾竹桃の抽出成分と竹酢を混合した殺虫殺菌防除剤である。製造方法は、１）夾竹桃の茎葉を浄水とミキサーにかけ、青汁を製造する。２）青汁に竹酢、ニガリ、アルコール、米酢を混合する。３）製造した液体を容器に入れ、常温で２日間熟成させる。４）熟成した液体を漉す。５）漉した液体を水で薄めて水田に散布する。【効果】有機殺虫殺菌防除剤は、天然自然の植物から製造しているため、人畜無害であり、栽培植物に使用しても特に拒絶反応はない。【選択図】なし【特許請求の範囲】
【請求項１】
水田有機殺虫殺菌防除剤（化学農薬でない）の発明
天然自然の資材だけによる殺虫殺菌剤で環境にやさしい殺虫殺菌剤である。
【請求項２】
植物夾竹桃外の抽出した成分と竹酢を混合した殺虫殺菌剤である。
【発明の詳細な説明】
【技術分野】
【０００１】  水田稲作には、一定の時季に食害を与える害虫や病菌の活動が始まる。また未熟な堆肥や不完全な堆肥を施したときも害虫や病菌の活動が始まる。害虫は直接食害をするものと卵を産み付けそれが孵化して発生した幼虫が食害をするものがあり、長期にわたって防除が必要になってくる。病菌は作物に病気をもたらす。これを解決するための有機殺虫殺菌剤を発明した。
【背景技術】
【０００２】  従来は手作業か化学殺虫剤を使用して駆除及び防除を行っているが、手作業では限界があるため殆ど化学殺虫剤を使用している。そのために益虫であろうが生長促進の役を果たす微生物をも排除してしまい、また姿は美しくとも食物自体には農薬が残留して、人体に少なからず影響を与えていることが近年になって言われ始めた。
【発明の開示】
【発明が解決しようとする課題】
【０００３】  化学殺虫剤は使うにつれて害虫に耐性ができて効果が薄れてくる。その上大量に化学殺虫剤を使うと作物に含まれる化学物質の残留量が増えてしまい、平成１８年５月２９日に施行された残留基準（ポジティブリスト）制度により出荷ができなくなる。この事は化学殺虫剤が人体に影響を及ぼしているということであり、川や海に流れ出て地球環境を汚していることの証明でもある。植物は虫などから害を与えられると、アルデヒドという保身の物を出して撃退する。
本発明は、自然環境にあり強力なアルデヒドを持つ夾竹桃を利用して、環境にやさしい有機殺虫剤を精製すること及び散布後７日から１０日の持続効果を持つことを考えた。
【課題を解決するための手段】
【０００４】  夾竹桃のアルデヒドの抽出については、ミキサーの中に夾竹桃の茎葉と茎葉が浄水に浸る状態まで入れてかけることで青汁を抽出した。この青汁は濃い液のため５倍に薄めて使用した。またニガリを入れることにより、幼虫などのたんぱく質性の害虫にも効力を発揮することがわかった。有機殺虫殺菌防除剤本剤の効力持続のため、竹酢液、米酢またはホワイトリカー（アルコール度３５度）及び清水を竹炭粉で漉した水も使用した。
【発明の効果】
【０００５】  ２００４年、２００５年の２年間にわたり実験を行った。有機栽培田において病虫害は皆無であった。２００５年は８月の出穂前までの虫害はなかったが、稲の生育に異常が若干見られたため、出穂後の防除として追加噴霧を行った結果、２００４年の同等の成果が得られた。
【発明を実施する最良の形態】
【０００６】  有機殺虫殺菌防除剤の特長は天然自然の植物から製造しているため、人畜無害であり、栽培植物に使用しても特に拒絶反応はない。
製造方法を下記に示す。
１．夾竹桃の茎葉を採取する。業務用のミキサーを使用してミキサー内に６０％ほど入れる。浄水を夾竹桃の茎葉と同じ位置まで（浸すくらい）入れてミキサーにかけ青汁を製造する。
２．製造した青汁に竹酢、ニガリ、アルコール（ホワイトリカーなど）３５度、米酢を混合する。
３．２．で作成した液体を容器に入れて、常温で２日間熟成させる。
４．熟成した液体を漉す。
５．漉した液体を、清水を竹炭粉で漉した水で５倍に薄めて田んぼに噴霧する。
(57)【要約】      （修正有）【課題】水田有機除草剤は人畜無害で無防備で手軽に田圃に散布できる非化学製品を提供すること。【解決手段】現化学製品の除草剤は生物や生態系を破壊し残留農薬など環境の悪化を来たす、一面恐いものである。これに代わり原材料が天然、自然の本剤の安全製品にし、併せて、食品の安全による人の健康を増進し、環境の保全に寄与するためにも、有機の自然、天然の物に取って代わるため、松、桧、杉から抽出した成分と竹酢を混合した植物のアレロパシーを利用した除草剤を提供する。【選択図】  なし【特許請求の範囲】
【請求項１】
水田有機除草剤（化学農薬でない）の発明
植物に由来する成分を利用した自然にやさしい除草剤である。
【請求項２】
松、桧、杉から抽出した成分と竹酢を混合した植物のアレロバシーを利用した除草剤である。
【発明の詳細な説明】
【技術分野】
【０００１】  水田に化学除草剤を使用すれば、おたまじゃくしやゲンゴロウなどの水田の虫が住めない環境になり、そこで出来た作物は残留農薬を含み人体にも影響を与えている。また化学除草剤が川や海に流れ出て環境を汚染している。これらの問題を克服するため水田有機除草剤を発明した。
【背景技術】
【０００２】  無農薬無化学剤で水田の除草剤を創造することは、並大抵のことではできない。幸い発明者は農家育ちでその道数十年の熟練者で、経験では誰にも劣らない。この会社は農業熟練者の集まりであり色々な実験を行っている。広大な水田を眺めてはあきらめ、また考え出しては実験を行っている。
【発明の開示】
【発明が解決しようとする課題】
【０００３】  広大な水田の除草は、各農家が最大の労力を要する難題であるが、化学除草剤を使用すれば労力が軽減できるため、どうしても化学除草剤を使用してしまう。そのため水も化学除草剤によって汚染され、それが地球環境や人体に大きな影響を与えていることが近年になって言われ始めた。本発明は化学除草剤を使用しないで環境や人体に影響を与えないものである。
【課題を解決するための手段】
【０００４】  これまでの経験で、松、檜、杉の枝葉に含む成分テルペン、幹にはアレロバシーを多量に含み、病害、虫害から身を守っていることが判明、正倉院の建築の際に使われている檜が現代までに健全なのはこのためである。これは大変な事実参考となった。また、松脂には大量の成分、テルペンを主成分とする複雑な混合物である。特にエコ油成分に注目、これらに補助成分を加え本発明である水田有機除草剤の柱とする。
【発明の効果】
【０００５】  水田において最終検定試験を本田において実施した。以下箇條書とする。
１．田植後９日目、湛水のまま有機除草剤を散布する。
２．田植後２９日目、本田に雑草の芽生えは見当たらない。この日以後に芽生えた雑草については、水稲に大した影響を与えない。
３．田植後５５日目、本田に雑草の芽生えは見当たらない。
４．田植後５５日目の本田にて確認された生物は下記のとおりである。
シマヘビ、トンボ、ヤゴ、ゲンゴロウ、ミズスマシ、タイコウチ、イモリ、カエル、オタマジャクシ、マキガイ、アメンボ、カゲロウ
５．雑草の芽生えがなく、生物も確認できたことから、実験は成功したといえる。
【発明を実施する最良の形態】
【０００６】  針葉樹（松、杉、檜）類から発散される揮発性の物質をテルペンという。テルペンにαピネン、エタノール、シネオールなどのフェノール性化合物を加えることによって、他の植物の生育を抑える作用（アレロバシー）が発生する。
松の下方には笹類だけが生える。この笹類は稲科の植物であり、このことから稲には害を及ぼさないことが判る。また杉や檜の下には雑草が生えにくく、そのうえ腐葉土や堆肥ができにくい。以上のことから稲作の除草剤に使えないかと考えた。以下にその資材を列記する。
（１）松、杉、檜の枝葉の抽出液の創出。
（２）松ヤニの溶解液を創出。
（３）米ヌカのエキス（ミネラルとアミノ酸）を創出。
（４）溶液の混濁防止のため竹酢液、竹炭粉を準備。
（５）防腐剤として、米酢、ホワイトリカー（アルコール度数３５度）を準備。
（６）（１）の製造カスを準備。
以上の資材を混合したものが水田有機除草剤の原型となる。この原型から抽出された有機成分を固体（粒状や粉状）化したものを散布する。
(57)【要約】      （修正有）【課題】抗酸化効果及び保湿効果が必須である、美肌を期待する化粧料において使用可能な、人体に対して刺激が少い有効成分を提供する。【解決手段】クサソテツの新芽であり、食用にも使用されているコゴミの乾燥物に、１，３−ブチレングリコールおよび精製水を添加して、乾燥コゴミの１％分散液とし、これを加熱蒸発することにより溶液量を、当初の１／２とし、ついで、該溶液を保留粒子径５マイクロメートルのろ紙を用いて2回ろ過することにより、コゴミ水抽出物を得る。該抽出物は、人体への刺激の少ない抗酸化効果及び保湿効果のある有効成分として、化粧料に使用することが出来る。【選択図】なし【特許請求の範囲】
【請求項１】
成分の原料にコゴミを用いた化粧料
【発明の詳細な説明】
【技術分野】
【０００１】  この発明は、美肌効果を有する化粧料の成分原料に関する。
【背景技術】
【０００２】  従来の美肌効果を期待する化粧料においては抗酸化力及び保湿効果が必須でありかつ人体に刺激が少ないことが望ましい。【０００３】
【特許文献１】  特開２００３−１８３２３１号公報
【発明の開示】
【発明が解決しようとする課題】
【０００４】  しかしながら、従来の原料では抗酸化力・保湿効果を有していても人体への刺激が大きいものが大半である。
そこで、この発明は人体への刺激が極めて少なく良好な抗酸化力・保湿効果を提供することを課題とする。
【課題を解決するための手段】
【０００５】  上記の問題を解決するために、発明は原料にクサソテツの新芽であり食用にも用いられるコゴミを原料として抗酸化力・保湿効果を得ることを特徴としている。
【発明の効果】
【０００６】  発明によればコゴミを用いることにより人体への刺激が極めて少ない抗酸化力・保湿効果を得ることが出来る
【発明を実施するための最良の形態】
【０００７】  クサソテツの新芽であり食用にも用いられるコゴミを用いることにより人体への刺激の少ない抗酸化成分と保湿成分を抽出できる。
【実施例】
【０００８】  精製水１と、１，３ブチレングリコール１と、乾燥コゴミ１％を混合し初めの容量の半分になるまで煮込みその溶液を保留粒子径５マイクロメートルのろ紙により二回ろ過したものを化粧料に添加する。
(57)【要約】【課題】  公道を自由に走行できる除雪車を目的とする。【解決手段】  トラックＡ荷台上に基台を装脱自在に設け、この基台に回転軸を設け、回転軸に油圧シリンダーで作動するアーム及び排雪板を設けた除雪機を搭載し、回転軸により排雪板をトラック前方に向けて除雪を行い、終了後は回転軸によって排雪板を反転させて、トラック荷台上に格納して走行する公道を走行できる除雪車。【選択図】  図１
2008050819.tif 000002
【特許請求の範囲】
【請求項１】
トラックＡ荷台上に基台（５）を装脱自在に設け、この基台の中心に回転軸（４）を設け、該回転軸（４）に油圧シリンダーで作動するブーム（３）及びアーム（２）を設け、アーム（２）の先に排雪板（１）を設けた除雪機を搭載すること、そして除雪作業終了後には回転軸（４）によりアーム（２）等を反転折曲してトラックＡ荷台上に格納することを特徴とした公道を走行できる除雪車。
【発明の詳細な説明】
【技術分野】
【０００１】
この発明は、トラック荷台に除雪機を格納した公道を走行できる除雪車に関する。
【背景技術】
【０００２】
一般に除雪車は大型の特殊車輌で重量があるため除雪作業中は、先導車を伴って交通規制を行いながら除雪作業を行っているかあるいは夜間など交通量の少ない時間帯に作業を行っている。また小型の除雪機でエンジンとタイヤを装備した除雪機もあるが自走式でなく、特に歩道等の除雪に使用している。
【特許文献１】特開２００５−２０７１５１号公報
【発明の開示】
【発明が解決しようとする課題】
【０００３】
このように除雪車による道路の除雪作業は大掛りとなる作業で、特に厳冬期であることを考慮すれば迅速に行動できて除雪が行えて交通の安全が保てることが望まれている。
【課題を解決するための手段】
【０００４】
発明者はこの点に鑑み鋭意試作を重ねた結果本発明に到達したもので、本発明は図示されているように、トラックＡの荷台上に除雪機を搭載して、通常時は荷台上の除雪機のアーム（２）、ブーム（３）を折り曲げて格納して公道を移動し、除雪作業に当っては、除雪機をトラックＡの前方にアームを回動してトラックＡの走行で除雪を行うことのできる
除雪車を開発することによって、従来の除雪車の問題点を解決したものである。
【発明の効果】
【０００５】
本発明は、前記したように除雪機をトラックＡの荷台上に搭載するため、除雪作業中の移動も除雪現場への移動もトラックＡが行うため迅速であって、除雪作業の効率がよく交通の安全が図れる。
【発明を実施するための最良の形態】
【０００６】
添付図面により本発明を実施するための最良の形態を説明すると、図中のＡは軽貨物トラックであって、このトラックＡの荷台上に除雪機を搭載する。
【０００７】
この除雪機の排雪板（１）等は回動式であり、除雪作業中は当然のこと排雪板（１）は、図中の実線で示すように、トラックＡの前方に配置されて路上等にある雪塊・雪溜りＳを排除し、作業終了後の基地への帰途又は現場への出動は、図中の仮想線で示すように排雪板（１１）やこれを支持するアーム（２２）等は、回動してトラックＡの荷台上に格納される。
【０００８】
このため本発明の除雪車は、本発明の目的のように公道を普通自動車のように走行ができる。そして、このトラックＡに搭載されている除雪機は、図中符号（５）で示されている基台部分で装脱自在であるため冬期以外は除雪機を取外して普通トラックとして使用する。
【実施例】
【０００９】
本発明の実施例を添付図面により説明すると図中の記号Ａは普通軽トラックであり、この軽トラックＡの荷台上に除雪機の基台（５）をボルトによって装脱可能に装着する。基台（５）には回転軸（４）が挿着され、この回転軸（４）には図示していないが、油圧シリンダーによって作動するブーム（３）、アーム（２）が折曲可動するように設けられていて、アーム（２）の先には排雪板（１）を取り付けて除雪機として使用される。
【産業上の利用可能性】
【００１０】
上述のように本発明は、トラック荷台上に除雪機を搭載して移動が可能であり、除雪に際してはトラックが走行しながら除雪するため作業効率がよく、また除雪機は装脱自在であって、積雪期以外は除雪機を降して普通トラックとして使用できるため本発明の利用価値は高いと期待できる。
【図面の簡単な説明】
【００１１】
【図１】全体の構成を示す側面図
【符号の説明】
【００１２】
１  排雪板
２  アーム
３  ブーム
４  回転軸
５  基台
Ａ  トラック
Ｓ  雪塊
ａ  回転軌道
【図１】
2008050819.tif 000003
(57)【要約】【課題】焼却による廃棄処分が可能で環境に優しく、また切削性が良好で且つ切削刃物の摩耗を少なくすることができ、さらに粘土の硬さが変化し難く且つ密着性が良好である竹粉を配合した油粘土を提供する。【解決手段】油成分に粘土用成分を混練して製造される油粘土において、前記油成分に脂肪酸の金属塩とワックスとが配合され、前記粘土用成分に竹粉が配合されてなるものであり、焼却による廃棄処分が可能で環境に優しいことを特徴とする。【選択図】なし【特許請求の範囲】
【請求項１】
油成分に粘土用成分を混練して製造される油粘土において、前記油成分に脂肪酸の金属塩とワックスとが配合され、前記粘土用成分に竹粉が配合されてなるものであり、焼却による廃棄処分が可能で環境に優しいことを特徴とする竹粉を配合した油粘土。
【請求項２】
前記竹粉の配合量を全体量の約７０〜３０％の範囲内に設定したことを特徴とする請求項１に記載の竹粉を配合した油粘土。
【発明の詳細な説明】
【技術分野】
【０００１】
本発明は粘土用成分に竹粉が配合されてなる油粘土に関する。
【背景技術】
【０００２】
従来の油粘土として、例えば脂肪酸の金属塩とワックスとからなる油成分と、例えばシリカやカオリナイト等を粉体状にした土砂粉又はポリエチレンやポリエステル等を粉体状にした樹脂粉からなる粘土用成分とを配合させたものが一般造形用及び工業用に広く使用されている。
【０００３】
しかしながら、上記の如く粘土用成分にシリカやカオリナイト等を粉体状にした土砂粉を配合したものについては、全体重量が重くなるため油粘土の運搬作業が困難になり取り扱いが難しいという問題があった。
【０００４】
一方、上記の如く粘土用成分にポリエチレンやポリエステル等を粉体状にした樹脂粉を配合したものについては、粘土用成分にシリカやカオリナイト等を粉体状にした土砂粉を配合したものと比較して全体重量が軽くなるため油粘土の運搬作業が困難になるという問題を解決することができるが、焼却することができないため廃棄処分が困難であるという別の問題がある。
【発明の開示】
【発明が解決しようとする課題】
【０００５】
本発明は、上述したような問題を解決するため粘土用成分に竹粉を配合することに着目し、焼却による廃棄処分が可能で環境に優しく、また切削性が良好で且つ切削刃物の摩耗を少なくすることができ、さらに粘土の硬さが変化し難く且つ密着性が良好である竹粉を配合した油粘土を提供することを目的とする。
【課題を解決するための手段】
【０００６】
上記課題を解決するために、請求項１に記載の発明は、油成分に粘土用成分を混練して製造される油粘土において、前記油成分に脂肪酸の金属塩とワックスとが配合され、前記粘土用成分に竹粉が配合されてなるものであり、焼却による廃棄処分が可能で環境に優しいことを特徴とする。
【０００７】
また、請求項２に記載の発明は、請求項１に記載の前記竹粉の配合量を全体量の約７０〜３０％の範囲内に設定したことを特徴とする。
【発明の効果】
【０００８】
以上のように、本発明によれば、粘土用成分に竹粉を配合することにより焼却による廃棄処分が可能で環境に優しい油粘土を提供することが可能になる。また、粘土用成分に竹粉を配合することにより樹脂粉を配合する場合よりも切削性が良好で且つ切削刃物の摩耗を少なくすることができる油粘土を提供することが可能になる。さらに、粘土用成分に竹粉を配合することにより油を吸収する度合いが一定になることから木粉を配合する場合よりも粘土の硬さが変化し難く且つ密着性が良好である油粘土を提供することが可能になる。
【発明を実施するための最良の形態】
【０００９】
以下、本発明の竹粉を配合した油粘土の特性について説明する。尚、本発明の竹粉を配合した油粘土は一般造形用及び工業用のいずれの用途にも使用することができる。
【００１０】
表１に示すように竹粉の配合量を全体量の約７０〜３０％の範囲内に設定した油粘土と、従来の油粘土（土砂粉又は樹脂粉を配合）との特性（環境性・廃棄処分、切削性・刃物摩耗度、硬さ・密着性、重さ・作業性）を比較した評価内容は、表２に示す通りである。
【００１１】
【表１】
2008050474.tif 000002
【００１２】
【表２】
2008050474.tif 000003
(57)【要約】  【課題】  軟弱地盤に設置された擁壁に近接して建築する建築基礎構造を提供する。  【解決手段】ソイルセメント杭の芯材として複数の鋼管を周辺に配置し、前記鋼管の周辺にソイルセメントが充填してある鋼管、ソイルセメント大型複合杭。所要本数の基礎杭頭部上において、擁壁方向に所要数の桁材を張出して設置し、その桁上に基礎を設置し、張出した桁上の基礎および基礎杭上部の基礎上に建物を建造してあることを特徴とする建築基礎構造である。【選択図】  図１
2008050764.tif 000002
【特許請求の範囲】
【請求項１】
所要本数の基礎杭頭部上において、擁壁方向に所要数の桁材を張出して設置し、その桁上に基礎を設置し、張出した桁上の基礎および基礎杭上部の基礎上に建物を建造してあることを特徴とする建築基礎構造。
【請求項２】
基礎杭は鋼管杭であり、桁は角鋼管であることを特徴とする請求項１記載の建築基礎構造。
【請求項３】
張出した桁と端部基礎杭間に方杖が配置してあることを特徴とする建築基礎構造。
【発明の詳細な説明】
【技術分野】
【０００１】
この発明は軟弱地盤上に設置されたＬ型擁壁等に近接して建築する場合の補強手段を施した建築基礎構造に関するものである。
【背景技術】
【０００２】
従来一般に実施されている建築において、Ｌ型擁壁を使用した地盤上に、あるいは地下車庫の上に建物を計画する場合が度々ある。その場合、Ｌ型擁壁の地盤の上の埋戻土あるいは地下車庫上の埋戻土が軟弱の為、沈下現象を生じて建物の傾斜、破損等の沈下事故が生ずることがある。しかもＬ型擁壁、地下車庫ともに底盤の下が補強されているか、あるいはないかを判断できない場合が少なくない。
【０００３】
ところで、従来土地の利用上下記特許文献に示すような張り出し構造を実施する場合がある。
【０００４】
【特許文献１】特開２００５−０８３１２８号公報
【特許文献２】特開２００５−２９０８２６号公報
【発明の開示】
【発明が解決しようとする課題】
【０００５】
この発明は前記事情に鑑み、前記張り出し構造を応用してＬ型擁壁あるいは地下車庫を有する場合でも、その上部に建築される建物の荷重が直接作用しない構造を開発することによって、前記従来の問題点を解消すべく建物の荷重がＬ型擁壁、地下車庫に直接作用しない建築基礎構造を提供するものである。
【課題を解決するための手段】
【０００６】
この発明の請求項１に係る発明は所要本数の基礎杭の頭部上において、擁壁の方向に所要数の桁材を架渡し、端部の基礎杭から桁材の端部を片持ち状に張出して設置し、その桁材上に布基礎等の基礎を設置する。その張出した桁材上の基礎および基礎杭上部の基礎上に上部の建物を建造してある。
【０００７】
請求項２に係る発明は前記基礎杭として鋼管杭を使用し、その先端には回転状の抵抗翼を設け、その基礎杭は捻じ込みによって地盤中に埋設することができる。
【０００８】
また桁材として角鋼管を使用し、張出した桁材の先端には連結桁材５を配置する。
【０００９】
基礎杭と桁材とはほぞ材によって結合される請求項３は張出した桁材と端部基礎杭間に角鋼管等からなる方杖を配置してある。
【発明の効果】
【００１０】
この発明は以上の構成からなり、建物の重量あるいは荷重を桁、基礎杭に伝え、擁壁あるいは地下車庫に重量が直接作用しないので、地盤の沈下を生ずる恐れが無く、延いては建物に影響することがない。
【発明を実施するための最良の形態】
【００１１】
この発明は擁壁あるいは地下車庫を設ける地盤において、所要本数の鋼管杭等からなる基礎杭1の頭部上において擁壁の方向に平行して角鋼管、プレキャストコンクリート部材等からなる桁材2を架渡し、端部の基礎杭1から桁材2の端部を片持梁状に張出して設置し、その桁材2上にコンクリート製の布基礎等からなるブロック状の基礎3を設置する。その張出した桁材2上の基礎3および基礎杭1上部の基礎3上に上部の建物Hを建造してある。
【００１２】
前記基礎杭1は鋼管杭を使用し、先端に回転状の抵抗翼4を設け、その基礎杭1は回転して捻じ込みによって地盤中に埋設することができる。
【００１３】
なお、基礎杭1は既製杭あるいは現場造成杭とすることもできる。
【００１４】
桁材２の先端には連結桁材5を配置し、また平行した桁材2にも適当間隔に連結桁材5を配して全体として格子状に地盤上を覆うことができる。そして基礎杭1と桁材2はほぞ材6等によって一体的に結合される。
【００１５】
また張出した桁材2と端部基礎杭1間に角鋼管、その他形鋼等からなる方杖7を配置し、ボルト・ナット等によって固定してある。
【図面の簡単な説明】
【００１６】
【図１】この発明の実施状態を示した縦断面図である。
【図２】この発明の要部の縦断面図である。
【図３】この発明の要部の平面図である。
【図４】従来例の擁壁の概要断面図である。
【図５】従来例の地下車庫の概要断面図である。
【符号の説明】
【００１７】
１…基礎杭
２…桁材
３…基礎
４…抵抗翼
５…連結桁材
６…ほぞ材
７…方杖                                                      
【図１】
2008050764.tif 000003
【図２】
2008050764.tif 000004
【図３】
2008050764.tif 000005
【図４】
2008050764.tif 000006
【図５】
2008050764.tif 000007
(57)【要約】      （修正有）【課題】市販の婦人服の内側に簡単につけられるポケットを提供すること。【解決手段】ビニールをポケット状の大きさに裁断し、へりに小穴をあけ手縫いで縫いつけられるようにした。【選択図】図１
2008050739.tif 000002
【特許請求の範囲】
【請求項１】
ポケットの型と色彩にとらわれず取付けるビ
2008050739.tif 000006
【発明の詳細な説明】
【発明の詳細な説明】
【技術分野】
【０００１】
2008050739.tif 000003
へ取付けやすくした。（図１）
【背景技術】
【０００２】
2008050739.tif 000004
服の時代で、市販の婦人服にポケットがなくなった。
【発明の解決しようとする課題】
【０００３】
2008050739.tif 000005
まげ、ボツボツ急いで作った手製のポケット。苦労がにじむ。
【課題を解決するための手段】
【０００４】ポケットを付けようと思っても共布がない。透明なビニールならば表・裏どちらでもよい針の通りをよくする為小穴をあけた。
【発明を実施するための最良の形態】
【０００５】ポケットの位置は、各人夫々ちがうが洋服の裏側、表側又、右きき、左きゝと一番使い易さをえらぶ。
【実施例】
【０００６】場所が決ったら、待針を打ち、小穴の下の布をすくい縫いする（図２）
【発明の効果】
【０００７】イ．ポケットを簡単にとりつけられる。
ロ．ポケットの中に入っているものが解る。
ハ一針縫うたび、ピーズを通せば表側のポケットは、はなやか。
ニ．洋服のみならず買物バック等にも適用出来る。
【図１】
2008050739.tif 000007
【図２】
2008050739.tif 000008
【手続補正書】
【提出日】平成18年11月22日(2006.11.22)
【手続補正１】
【補正対象書類名】明細書
【補正対象項目名】全文
【補正方法】変更
【補正の内容】
【発明の詳細な説明】
【発明の詳細な説明】
【技術分野】
【０００１】ビニールのポケットのへりに小穴をあけ、洋服の裏側へ取付けやすくした。（図１）
【背景技術】
【０００２】着物着用の時代は、ふところがあった。現代は一般的に洋服の時代で、市販の婦人服にポケットがなくなった。
【発明の解決しようとする課題】
【０００３】ポケットがないと不自由するのが高令者である。ハギレのへりを折りまげボツボツ急いで作った手製のポケット。苦労がにじむ。
【解決するための手段】
【０００４】ポケットを付けようと思っても共布がない。透明なビニールならば、表・裏どちらでもよい。針の通りをよくする為に小穴をあけた。
【発明を実施するための最良の形態】
【０００５】ポケットの位置は、各人、夫々ちがうが、洋服の裏側、表側、又、右きき、左ききと、一番使い易さをえらぶ。
【実施例】
【０００６】場所が決ったら、待針を折ち、小穴の下の布をすくい縫いする。（図２）
【発明の効果】
【０００７】イ、ポケットを簡単にとりつけられる。
ロ、ポケットの中に入っているものが解る。
ハ、一針縫うたびにピーズを通せば表側のポケットははなやか。
ニ、洋服のみならず買物バック等にも適用出来る。
【図面の簡単な説明】
【０００８】
【図１】洋服のハギレのない場合、透明なビニールならば、材質は違うが共布と同じと考えた。然し、ビニールは縫いにくいので小穴をあけ、針が簡単に通り易くした。取付は簡単で１０分位で仕上る。高令で視力のおとろえた方でも、手さぐりで穴を探せる。
【図２】図（１）の取付方法を説明
【符号の説明】
【０００９】１、ポケット口１２ｃｍ
２、ポケット（長サ）１４ｃｍ
３、ビニールポケット
４、小穴（直径３．５ｍｍ）
５、縫糸
６、縫針
【手続補正２】
【補正対象書類名】特許請求の範囲
【補正対象項目名】全文
【補正方法】変更
【補正の内容】
【特許請求の範囲】
【請求項１】
ポケットの型と色彩にとらわれず、取付けるビニールのへりに小穴をあけたもの。
【手続補正３】
【補正対象書類名】図面
【補正対象項目名】全図
【補正方法】変更
【補正の内容】
【図１】
2008050739.tif 000009
【図２】
2008050739.tif 000010
(57)【要約】【課題】地中埋設管路用ハンドホール内への第三者侵入防止を目的とし、なおかつ構造の見直しによる省力化、およびハンドホール入坑部の内空断面を極力縮小しない構造で所有者のみが開閉可能な閉塞板（中蓋）を提供することにある。【解決手段】ハンドホール入坑部内面に受け枠（支持枠）を設置することなく取り付け可能な第三者侵入防止を目的とする所有者のみ開閉可能な閉塞板（中蓋）を提供し、コスト低減、工期短縮、保守・点検時の作業性の向上を実現する。【選択図】図１
2008050751.tif 000002
【特許請求の範囲】
【請求項１】
地中埋設管路で使用されるハンドホール内への第三者侵入防止を目的とし、ハンドホール入坑部へ設置する開閉可能な閉塞板（中蓋）。
【請求項２】
請求項１でハンドホール入坑部内面に閉塞板（中蓋）の受け枠（支持枠）を設置する必要のない閉塞板（中蓋）。
【請求項３】
請求項１で専用工具によってのみ開閉可能なロック機構を有し、所有者のみがハンドホール内部へ立ち入る事が可能な閉塞板（中蓋）。
【請求項４】
固定用ボルトを設けるための凹型ボルトを、コンクリート等の躯体製造時に一体に成形することで、施工精度の向上と施工時間の短縮を可能とする閉塞板（中蓋）。
【発明の詳細な説明】
【技術分野】
【０００１】
この発明は、地中埋設管路で使用されるハンドホール内への第三者侵入防止を目的とし、ハンドホール入坑部に設置する開閉可能な閉塞板（中蓋）に関するものである。
【背景技術】
【０００２】
従来、ハンドホール入坑部に閉塞板（中蓋）を設置するためには、ハンドホール入坑部内面に閉塞板（中蓋）の受け枠（支持枠）を設置していた。このため、閉塞板（中蓋）設置のための作業工程は受け枠（支持枠）設置を含んだ工程であった。
【特許文献１】特開２００４−３４６５１２号公報（第３−４頁、図２）
【発明の開示】
【発明が解決しようとする課題】
【０００３】
従来技術では、ハンドホール入坑部内面に閉塞板（中蓋）の受け枠（支持枠）を設置していたことにより、ハンドホール入坑部内空断面が縮小された状態だった。このため、保守・点検等でハンドホール内に人員が入坑する際、受け枠（支持枠）が身体と接触する等邪魔となり、入坑時の支障となっていた。
【０００４】
閉塞板（中蓋）設置のための作業工程は受け枠（支持枠）設置を含んだ工程であり、コスト、工期両面において不都合であった。
【０００５】
また、受け枠設置工程を設けることにより、道路占有時間が増加し、交通障害が発生していた。
【０００６】
本発明はこのような問題を解決し、ハンドホール入坑部内面の支障物を必要最小限とし、ハンドホール入坑部の内空断面をほぼ100%有効とすることが可能となり、保守・点検時における人員の入坑が円滑に行えることを目的とする。
【課題を解決するための手段】
【０００７】
すなわちこの発明は、ハンドホール入坑部内面に受け枠（支持枠）を設置することなく取り付け可能な第三者侵入防止を目的とする所有者のみ開閉可能な閉塞板（中蓋）である。
【発明の効果】
【０００８】
この発明によればハンドホール入坑部内面には閉塞板（中蓋）固定用のボルトのみを取り付けることになり、ハンドホール入坑部内空断面がほぼ100%有効になり、保守・点検時における人員の入坑の支障とならず、入坑が円滑に行える。
【０００９】
閉塞板（中蓋）の受け枠（支持枠）を設置しなくて良い構造のため、作業工程から受け枠（支持枠）設置を省略することができ、コスト低減および工期短縮を実現することが可能である。
【００１０】
また、受け枠（支持枠）設置工程を省略することで、道路占有時間の短縮が可能となり、交通障害の解消が可能となる。
【発明を実施するための最良の形態】
【００１１】
この発明の方法について、図面を参照して詳しく説明する。
図１は本発明の閉塞板（中蓋）のハンドホール入坑部への設置図である。閉塞板（中蓋）１はハンドホール入坑部内面２に取り付けた閉塞板（中蓋）固定用ボルト３によって支持する。従ってハンドホール入坑部内面２には閉塞板（中蓋）固定用ボルト３のみを取り付けるだけとなり、ハンドホール入坑部の内空断面がほぼ100%有効に使用できる。固定用ボルト３の取り付けは、ハンドホール等の躯体製造時に（型枠に固定した）凹型ボルトを一体に成形し、これに固定ボルト３をねじ込んでも良いし、既設ハンドホール等に後打ちボルトとして固定ボルト３を施工しても取り付け可能な構造とできる。
【００１２】
図２は本発明の閉塞板（中蓋）の構造図である。閉塞板（中蓋）１の側面に切り欠き４を設け、この切り欠き４に閉塞板（中蓋）固定用ボルト３を通すことで閉塞板（中蓋）１を支持する。閉塞板（中蓋）１にはロック機構５が取り付けてあり、ハンドホール入坑部への閉塞板（中蓋）１設置後、ロック機構５により施錠し、閉塞板（中蓋）１を固定する。また、ロック機構５の鍵は特殊形状をしており、所有者以外開閉できないようになっている。
【図面の簡単な説明】
【００１３】
【図１】本発明に関わる実施形態の一例であり、(a)は正面図、(b)は側面図である。
【図２】本発明に関わる構造の一例であり、(a)は正面図、(b)は側面図である。
【符号の説明】
【００１４】
１  閉塞板（中蓋）
２  ハンドホール入坑部内面
３  閉塞板（中蓋）固定用ボルト
４  切り欠き
５  ロック機構
【図１】
2008050751.tif 000003
【図２】
2008050751.tif 000004
(57)【要約】      （修正有）【課題】塵芥を収容する場合に於いて、収容箱の上部に空間があるにもかかわらず収容出来ず、わずかに残された物でも別途車を用意するなど問題点があった。この問題を解決するために、収容箱に弓状の金属板を取り付ける事により収容効率を上げることを目的にしたものである。【解決手段】収容箱前部に弓状に湾曲させた金属板２を固定する。この金属板により押し込み板で後方に押し込まれた塵芥は弓状部で回転方向に力が加わり上部の空間に移動する。塵芥が上部積載不能空間に移動することによって積載容量が大幅に増加することが特徴である。収容箱の空間がなくなることで従来の塵芥収集車に比較し１．２〜１．３倍の積載量の増加が見込める。【選択図】図３
2008050163.tif 000002
【特許請求の範囲】
【請求項１】
塵芥収集車の収容箱であって、既成の収容箱前部内側に弓状に湾曲させた金属板を取り付け、押し込み板によって塵芥が圧縮詰込みの際にその湾曲部により上部に方向を変え移動し、収容箱の空間部に容易に移動する手段を設けた事を特徴とした塵芥収集車の収容箱。
【請求項２】
請求項１における弓状に湾曲させた部分を収容箱の前面部分に一体として設けた塵芥収容箱。
【発明の詳細な説明】
【技術分野】
【０００１】  本発明は、塵芥収集車の収容箱であって、収容する塵芥の容量を無理なく増加することを目的とした、収容箱の改良に関する物である。
【背景技術】
【０００２】  塵芥を回収する際は、塵芥収集車の後部入口（６）より投入し、回転盤（４）でかき上げた塵芥を押し込み板（３）で前方に押し込む方法である。これでは塵芥（５）が平行に移動するだけなので前方の壁（８）に当るとそれ以上の収容が困難であり上部にはかなりの積載不能空間、（７）が生じてしまうなどの難点があった（特許文献１）
【特許文献１】特開平９−２０４０２号公報
【発明の開示】
【発明が解決しようとする課題】
【０００３】  麈芥を収容する場合に於いて、収容箱の上部に空間があるにもかかわらず収容出来ず、わずかに残された物でも別途車を用意するなど問題点があった。この問題を解決するために、本発明にあっては、収容箱に弓状の金属板を取り付ける事により収容効率を上げることを目的にしたものである。
【課題を解決するための手段】
【０００４】  本発明は、収容箱前部に弓状に湾曲させた金属板（２）を固定する。この金属板により押し込み板で後方に押し込まれた塵芥は弓状部で回転方向（１０）に力が加わり上部の空間に移動する。塵芥が上部空間に移動することによって積載容量が大幅に増加することが特徴である。以上が、本発明の構成である。
【発明の効果】
【０００５】  塵芥が上方に移動するので積載不能空間がなくなることで、従来の塵芥収集車に比較し１．２〜１．３倍の積載量の増加が見込める。
【発明を実施するための最良の形態】
【０００６】  収容箱前方に塵芥を滑りやすくする弓状の金属板を取り付ける図１（２）。この金属板によって押し込み板で押し込まれた塵芥が上方の空間部方向に回転力が発生し（１０）の矢印方向に進路を変える。
本発明は以上のような構造で、これを使用するには、通常の作業で後方入口（６）から塵芥を積み込む従来どおりの方法で積載能力の向上につながる。
【実施例１】
【０００７】  図１は本発明の実施例形状で、収容箱内側に弓状の金属板（２）を取り付ける。押し込み板により押し込まれた塵芥は順次前方へ移動し、弓状の金属板に到達する。この金属板により更に圧力が加えられると金属板の形状に沿って方向を変えられた塵芥は上部空間部分（７）に移動する。これにより収容箱に満遍なく詰め込みが可能となり輸送効率が向上する。
【実施例２】
【０００８】  図５は本発明の他の実施例で収容箱の前部形状を弓状（９）とした一体構造の収容箱である。部品点数の減少により製造コストの減少、重量の増加が抑えられる。尚、実施例１と同一部分は同一番号を付に説明を省略する。
【産業上の利用可能性】
【０００９】  本発明は、塵芥を回収する車に加工して効率を上げる。空間部分を有効に活用する事で省エネとなり、搬送回数の減少がはかれるので処理費用の減少になり処理業者にあっては大変有難い事となる。又ダンボールなどにあっては縦方向の圧縮力には大変強く押し込み板でも対応できない事があり有効な方法となる。
【図面の簡単な説明】
【００１０】
【図１】本発明の収容箱の内部構造略断面図である。
【図２】従来の実施例を示す内部構造略断面図である。
【図３】本発明の塵芥移動状況を示す内部構造略断面図である。
【図４】本発明の弓状金属板斜視図である。
【図５】本発明の収容箱一体型略断面図である。
【符号の説明】
【００１１】  １  収容箱外型
２  弓状金属板
３  押し込み板
４  回転盤
５  麈芥
６  投入口
７  積載不能空間
８  従来収容箱前面形状
９  収容箱一体型構造の前面形状
１０  塵芥移動方向を表す矢印
【図１】
2008050163.tif 000003
【図２】
2008050163.tif 000004
【図３】
2008050163.tif 000005
【図４】
2008050163.tif 000006
【図５】
2008050163.tif 000007